(57)【特許請求の範囲】
【請求項１】
蓄電デバイスの正極と負極との間に接続される負荷抵抗に放電電流を流すことにより、前記蓄電デバイスの放電を行って前記蓄電デバイスの状態を測定する蓄電デバイス放電装置であって、
前記負荷抵抗の抵抗値を切り替え可能な放電部と、
前記蓄電デバイスにおける電圧に応じて、前記蓄電デバイスの正極と負極との間に接続される前記負荷抵抗の抵抗値を切り替えることにより、放電電流を調整する制御部と、
を備え、
前記制御部は、
前記蓄電デバイスの正極と負極との間の電圧を測定する電圧測定部
を備え、
前記電圧測定部で測定された電圧に基づいて、前記蓄電デバイスの分極曲線における分極値が所定の値より大きくなるような電流が流れるように、前記負荷抵抗の抵抗値を決定して自動的に切り替える、
蓄電デバイス放電装置。
【請求項２】
前記放電部は、
前記蓄電デバイスの正極と負極との間に直列に接続された負荷抵抗とスイッチとを有し、前記負荷抵抗の抵抗値が互いに異なる放電回路が複数設けられ、
前記制御部は、
前記複数の放電回路各々の前記スイッチの開閉により、前記負荷抵抗の抵抗値を調整する、
請求項１に記載の蓄電デバイス放電装置。
【請求項３】
前記負荷抵抗は、可変抵抗であり、
前記制御部は、
前記負荷抵抗の抵抗値を調整する、
請求項１に記載の蓄電デバイス放電装置。
【請求項４】
前記制御部は、
前記蓄電デバイスから流れる電流を測定する電流測定部をさらに備え、
前記電流測定部で測定される電流が、所定の電流条件を満たしているか否かを確認する、
請求項１から３のいずれか一項に記載の蓄電デバイス放電装置。
【発明の詳細な説明】
【技術分野】
【０００１】
この発明は、蓄電デバイス放電装置に関する。
【背景技術】
【０００２】
蓄電デバイスの充電状態（ＳＯＣ；State Of Charge）、すなわち残存容量を直接測定することは困難である。しかし、蓄電デバイスのＳＯＣと開放電圧（開回路電圧）との間には、ある程度の相関関係が認められている。そこで、開放電圧を測定及び演算により求め、開放電圧（内部電圧）とＳＯＣとの相関関係に基づいてＳＯＣを求めることが従来から行われている。【０００３】
ところで、開放電圧をＥとし、蓄電デバイスの電圧及び電流をＶ、Ｉとすると、以下の式（１）が得られる。
Ｅ＝Ｖ＋Ｉ・ｒ  …（１）
ｒは、蓄電デバイスの内部抵抗である。式（１）において、内部抵抗ｒには、例えば、一定値（ｒ０、例えばＳＯＣが１０％、電池温度２０℃の時の値）が用いられる。【０００４】
しかしながら、内部抵抗ｒは、電池温度やその時のＳＯＣに依存して変化する。そこで、以下の式（２）を用いて、内部抵抗ｒを補正する方法が開示されている（例えば、特許文献１参照）。
ｒ＝ｒ０・Ａ２・Ａ１  …（２）
ｒ０は、電池に関して予め与えられる所定の抵抗値である。Ａ１は、電池温度Ｔに基づく第１の抵抗比である。また、Ａ２は、所与の基準充電状態に基づく第２の抵抗比である。【０００５】
このように、ＳＯＣと内部抵抗との間に相関が有ることは明らかである。そこで、内部抵抗の１つであり、残存容量と高い相関関係を有する電池内の内部物質移動支配の抵抗値に基づいて、蓄電池の劣化度を判定する電池残存容量検出装置が開示されている（例えば、特許文献２参照）。この電池残存容量検出装置は、スイッチを介して蓄電池に負荷抵抗を接続して放電させ、蓄電池の端子間電圧と放電電流とに基づいて、電池内の内部物質移動支配の抵抗値を算出する。【０００６】
一方、スイッチを介して所定の周波数でオンオフして蓄電池に負荷抵抗を接続して放電させ、端子間電圧と放電回路の電流を検出することで、蓄電池の内部インピーダンスを計算するバッテリ検知ユニットが開示されている（例えば、特許文献３参照）。【０００７】
さらに、複数の電池セルを直列につないで高電圧バッテリとして搭載する場合における蓄電デバイスのＳＯＣのばらつきを均等化する残容量均等化装置が開示されている（例えば、特許文献４参照）。この残容量均等化装置は、セル毎に電圧センサやバイパス抵抗及びバイパススイッチを備えるバイパス回路を設定し、バイパススイッチをコントロールする。【０００８】
より具体的には、この残容量均等化装置は、接続される複数の電池の電圧を揃えるために、例えば蓄電デバイスの動作が停止するタイミングで、電圧の高い電池のセルについて、所定の電圧値を目標に予め設置されている負荷抵抗に放電させる。このようにすることで、電池のセル間で、残容量を均等化させることができる。【０００９】
上述の電池残存容量検出装置、バッテリ検知ユニット、残容量均等化装置は、いずれも蓄電池の状態を測定したり、蓄電デバイスのＳＯＣのばらつきを均等化させるために、負荷抵抗に対して蓄電デバイスを放電させる放電装置である。
【先行技術文献】
【特許文献】
【００１０】
【特許文献１】特許第３５４３６６２号公報
【特許文献２】特開２００７−０１７３５７号公報
【特許文献３】特開２００６−０３２１８４号公報
【特許文献４】特開２００３−１８９４９０号公報
【発明の概要】
【発明が解決しようとする課題】
【００１１】
このような電池残存容量検出装置や、バッテリ検知ユニットや、残容量均等化装置等の放電装置では、放電電流の大きさが、予め蓄電デバイス装置内に設置した所定の負荷抵抗値によって制限される。この制限により、最適な放電条件の下で、蓄電デバイスの内部抵抗を測定するのが困難になる場合がある。【００１２】
最適な放電条件ではない場合とは、蓄電デバイスにおいて、測定に十分な分極を得られない場合である。蓄電デバイスが測定に十分な分極を得るためには、電池の両端に接続する負荷抵抗を抵抗値を、予め蓄電デバイスの内部抵抗の設計値に合わせて最適なものとする必要がある。【００１３】
電池の内部抵抗は、温度環境や使用履歴によって高くなったり、低くなったりする。このため、上記特許文献２に開示された電池残存容量検出装置や、上記特許文献３に開示されたバッテリ検知ユニットにおいて、電池の初期性能に合わせて負荷抵抗の抵抗値を設定しても、電池を使用していくうちに、最適な抵抗値がシフトして、十分な放電状態を作り出すことができなくなり、ＳＯＣや電池の内部インピーダンス等が測定不能に陥る場合がある。【００１４】
また、上記特許文献４に開示された残容量均等化装置においても、蓄電デバイスの動作停止時間が短すぎる場合や、電池間の残容量の不均等が大きくなりすぎた場合には、必要な放電を十分に行うことができなくなる。この結果、残容量の均等化を達成するのが困難になる。【００１５】
この発明は、上記実情に鑑みてなされたものであり、電池の状態の測定やセルの均等化を行うために、電池の放電を電池の状態に応じて行うことができる蓄電デバイス放電装置を提供することを目的とする。
【課題を解決するための手段】
【００１６】
上記目的を達成するために、この発明に係る蓄電デバイス放電装置は、
蓄電デバイスの正極と負極との間に接続される負荷抵抗に放電電流を流すことにより、前記蓄電デバイスの放電を行って前記蓄電デバイスの状態を測定する蓄電デバイス放電装置であって、
前記負荷抵抗の抵抗値を切り替え可能な放電部と、
前記蓄電デバイスにおける電圧に応じて、前記蓄電デバイスの正極と負極との間に接続される前記負荷抵抗の抵抗値を切り替えることにより、放電電流を調整する制御部と、
を備え、
前記制御部は、
前記蓄電デバイスの正極と負極との間の電圧を測定する電圧測定部
を備え、
前記電圧測定部で測定された電圧に基づいて、前記蓄電デバイスの分極曲線における分極値が所定の値より大きくなるような電流が流れるように、前記負荷抵抗の抵抗値を決定して自動的に切り替える。
【発明の効果】
【００１７】
この発明によれば、制御部により、放電回路の負荷抵抗の抵抗値を調整する。これにより、蓄電デバイスの内部抵抗の抵抗値が大きく変化したり、蓄電デバイスの動作停止時間が短すぎたり、電池間の残容量の不均等が大きくなりすぎたりしても、その変化に合わせて負荷抵抗の抵抗値を変更することができる。この結果、電池の状態の測定やセルの均等化を行うために、電池の放電を電池の状態に応じて行うことができる。
【図面の簡単な説明】
【００１８】
【図１】この発明の実施の形態１に係る蓄電デバイス放電装置（電池状態監視装置）の概略的な構成を示す回路図である。
【図２】分極曲線の一例を示すグラフである。
【図３】電池状態監視装置の動作の流れを示すフローチャートである。
【図４】この発明の参考例１に係る蓄電デバイス放電装置（電池残存量均等化装置）の概略的な構成を示す回路図である。
【図５】この発明の実施の形態２に係る蓄電デバイス放電装置（電池状態監視装置）の概略的な構成を示す回路図である。
【図６】この発明の参考例２に係る蓄電デバイス放電装置（電池残存量均等化装置）の概略的な構成を示す回路図である。
【発明を実施するための形態】
【００１９】
この発明の実施の形態について、図面を参照して詳細に説明する。なお、この実施の形態によりこの発明が限定されるものではない。
【００２０】
実施の形態１．
まず、この発明の実施の形態１について説明する。
【００２１】
図１には、この発明の実施の形態１に係る蓄電デバイス放電装置としての電池状態監視装置１００の概略的な構成が示されている。図１に示すように、電池状態監視装置１００は、蓄電デバイスとしての電池１０の状態を監視する装置である。
【００２２】
電池１０は、２次電池（蓄電池）であり、例えば、ニッケル水素電池やリチウムイオン電池等を採用することができる。
【００２３】
電池状態監視装置１００は、電池１０の放電を行うことにより、電池１０の状態を監視する。電池１０の状態には、例えばＳＯＣや内部インピーダンス等がある。
【００２４】
図１に示すように、電池状態監視装置１００は、放電部１５を備えている。まず、放電部１５の構成について説明する。
【００２５】
放電部１５は、両端が電池１０の正極と負極との間に接続されている。放電部１５は、負荷抵抗１と、スイッチング素子２とが直列に接続された放電回路を有している。
【００２６】
この実施の形態では、放電部１５は、複数の放電回路を有している。各放電回路は、並列である。
【００２７】
各負荷抵抗１は、その一端が電池１０の正極と接続され、他端がスイッチング素子２のコレクタと接続されている。各放電回路では、負荷抵抗１の抵抗値は固定である。各負荷抵抗１の抵抗値は、Ｒ１、Ｒ２、・・・Ｒｎと、それぞれ異なっている。
【００２８】
スイッチング素子２は、例えば、トランジスタである。スイッチング素子２は、コレクタが負荷抵抗１に接続され、エミッタが電池１０に接続されている。また、スイッチング素子２のゲート電極は、放電制御装置３に接続されている。スイッチング素子２の開閉は、放電制御装置３により制御される。
【００２９】
電池１０の正極及び負極には、電圧測定用の端子４が設けられている。また、電池１０の一端には、電流計５が設けられている。
【００３０】
さらに、電池状態監視装置１００は、制御部としての放電制御装置３を備えている。放電制御装置３の構成について説明する。
【００３１】
放電制御装置３は、電圧測定部２０と、電流測定部２１と、決定部２２と、選択部２３とを備えている。
【００３２】
電圧測定部２０は、２つの端子４と接続されている。電圧測定部２０は、端子４間の電圧、すなわち電池１０の正極と負極との間の電圧（電源電圧）を測定する。
【００３３】
電流測定部２１は、電流計５で検出される電流を測定する。すなわち電流測定部２１は、電池１０から流れる電流を測定する。
【００３４】
決定部２２は、電圧測定部２０で測定された電圧と、電流測定部２１で測定された電流とに基づいて、負荷抵抗１の最適な抵抗値を決定する。より具体的には、決定部２２は、放電状態で測定に必要な電池の分極が得られる抵抗値を決定する。
【００３５】
ここで、抵抗値を決定する方法について説明する。
【００３６】
決定部２２は、電池１０に流れる電流が所定の電流条件を満たすような負荷抵抗１の抵抗値を決定する。所定の電流条件は、例えば、内部物質移動抵抗が電池１０の内部抵抗において支配的となるような高い電流であることとすることができる。
【００３７】
内部物質移動抵抗が電池１０の内部抵抗において支配的となる電流は、図２に示すような測定対象の電池１０の分極曲線に基づいて決定することができる。図２において、縦軸は電流（Ａ）の対数であり、横軸は分極（ｍＶ）である。
【００３８】
図２に示す分極曲線は、電池１０として、リチウムイオン電池を用い、その正極（コバルト酸リチウム電極）を用いた電気化学測定用の三極式電池を作成し、実用電池の使用域に準じてしかるべき充電状態とし、正極の還元方向への分極曲線を、一般的手法にて測定することにより得られる。
【００３９】
分極曲線は、分極値（分極幅）が大きくなるにつれて電流が大きくなる。分極値ηが所定のη0より大きくなると、電流と分極値との関係が線形関係から外れ始める。すなわち、この分極幅がη0より大きい領域では、内部抵抗が一般論で言う物質移動速度に依存するようになる。
【００４０】
そこで、この実施の形態では、決定部２２は、この分極値がη0より大きくなるような、すなわち電流ｉ0よりも大きい定電流が電池１０に流れるように、測定される端子間電圧に基づいて、内部物質移動支配下での負荷抵抗１の抵抗値を決定する。
【００４１】
選択部２３は、決定部２２で決定された抵抗値に基づいて、複数のスイッチング素子２の開閉を制御する。より具体的には、選択部２３は、電池１０に接続される全体の負荷抵抗の抵抗値が、決定された抵抗値となるように、各スイッチング素子２の開閉を制御する。すなわち、選択部２３は、抵抗値が異なる負荷抵抗１の中から、実際に負荷抵抗として用いるものを選択する選択部であるとすることができる。なお、複数のスイッチング素子２を閉状態として、複数の負荷抵抗１を組み合わせて、決定された抵抗値を設定するようにしてもよい。
【００４２】
すなわち、電池状態監視装置１００は、電圧測定部２０で測定される電圧と、電流測定部２１で測定される電流とに基づいて、スイッチング素子２の開閉を制御して、放電部１５の全体の負荷抵抗の抵抗値を調整することにより、放電電流の調整を可能とする。
【００４３】
次に、この実施の形態に係る電池状態監視装置１００の動作について説明する。
【００４４】
図３には、電池状態監視装置１００の動作の流れが示されている。図３に示すように、電池状態監視装置１００では、放電制御装置３は、選択部２３を用いて、放電部１５の全てのスイッチング素子２をオフしている（ステップＳ１）。このようにして、モータ駆動時などでは、各負荷抵抗１は電池１０から切り離され、モータがインバータを介して電池１０に接続される。なお、電池状態監視装置１００が、電池１０とモータ及びインバータとの接続を制御する。
【００４５】
この状態で、電池１０からの電力がインバータを介してモータに供給され、モータ減速時には、モータが発電機として機能し、得られた電力が電池１０に回生される。このようにして、電池１０は充放電を繰り返すこととなる。
【００４６】
続いて、放電制御装置３は、測定タイミングとなるまで待つ（ステップＳ２；Ｎｏ）。測定タイミングになると（ステップＳ２；Ｙｅｓ）、放電制御装置３は、電池１０から、インバータやモータ等の通常の負荷を切り離す（ステップＳ３）。
【００４７】
続いて、放電制御装置３は、決定部２２で、上述のようにして、抵抗値を決定する（ステップＳ４）。例えば、決定部２２は、電圧測定部２０で測定された電圧値を、所定の電流条件を満たす電流値で除算することにより、抵抗値を算出するようにしてもよい。
【００４８】
続いて、放電制御装置３は、選択部２３で、上述のようにして、負荷抵抗１を選択する（ステップＳ５）。これにより、各スイッチング素子２の開閉が制御され、電池１０に接続される負荷抵抗１の抵抗値が、決定部２２で決定された抵抗値となる。このとき、放電制御装置３は、電流測定部２１で測定される電流が、所定の電流条件を満たしているか否かを確認するようにしてもよい。
【００４９】
続いて、放電制御装置３は、測定対象の測定を行う（ステップＳ６）。ここで、例えば、電池１０のＳＯＣや内部インピーダンス等が測定される。これらの測定対象は、様々な手法を採用することができる。例えば、電圧測定部２０で測定される電圧値と、電流測定部２１で測定される電流値とに基づいて、測定対象を算出するようにしてもよい。
【００５０】
ステップＳ６を実行後、放電制御装置３は、ステップＳ１に戻る。この際、放電制御装置３は、電池１０を、インバータやモータ等の通常の負荷に接続する。
【００５１】
この実施の形態に係る電池状態監視装置１００によれば、負荷抵抗１の抵抗値を変更することにより、電池１０の放電電流の大きさを変化させることができる。これにより、温度環境や、使用履歴によって電池の内部抵抗が高くなったり、低くなったりしても、測定に必要な電流で電池１０を放電させることができるようになる。
【００５２】
このように、この実施の形態に係る電池状態監視装置１００によれば、抵抗値の異なる２種類以上の負荷抵抗１を設けることにより、電池１０の内部抵抗の大きな変化に関わらず、測定対象の測定が可能になる。この結果、電池１０の状態の監視を円滑に行うことができる。
【００５３】
また、この実施の形態に係る電池状態監視装置１００によれば、内部抵抗が大きく異なる電池１０が用いられている場合や、温度や使用環境によって内部抵抗が大きく変化した場合であっても、その都度、必要な放電電流を設定し、円滑な測定を行うことができる。
【００５４】
以上詳細に説明したように、この実施の形態によれば、放電制御装置３により、放電回路の負荷抵抗１の抵抗値を調整する。これにより、電池１の内部抵抗の抵抗値が大きく変化した場合であっても、その変化に合わせて負荷抵抗１の抵抗値を変更することができる。この結果、電池１のＳＯＣや内部インピーダンスを、安定した状態で測定することができる。
【００５５】
参考例１．
次に、この発明の参考例１について説明する。
【００５６】
図４には、この発明の参考例１に係る蓄電デバイス放電装置としての電池残存量均等化装置１０１の回路構成が示されている。電池残存量均等化装置１０１は、複数の電池セルを直列につないで高電圧バッテリとして搭載する場合の蓄電デバイスの残容量（ＳＯＣ）のばらつきを均等化する残容量均等化装置である。
【００５７】
図４に示すように、３つの電池１０が直列に接続されている。この参考例１では、電池１０の直列回路が、蓄電デバイスに相当する。この蓄電デバイスの直列回路の両端には、例えば、電気自動車やハイブリット自動車などの走行用のモータ及びインバータ等が接続されている。放電制御装置３は、蓄電デバイスとモータ及びインバータへの接続／遮断を制御する。
【００５８】
電池残存量均等化装置１０１は、電池１０のセル毎に、放電部１５を備えている。放電部１５には、上記実施の形態１と同様に、複数の放電回路が設けられている。各放電回路は、抵抗値の異なる２種類以上の負荷抵抗１（Ｒ１、Ｒ２・・・Ｒｎ）とトランジスタ等のスイッチング素子２から成る。各放電回路は、複数個並列に接続されている。
【００５９】
また、放電制御装置３は、放電対象となる電池１０のセル毎に、正極と負極との間の電圧と、流れる電流とを測定する。図４では図示しないが、この参考例１では、放電制御装置３は、電池１０のセル毎に、電圧測定部２０と、電流測定部２１と、を備えている。
【００６０】
放電制御装置３は、蓄電デバイスとモータ及びインバータとの接続が遮断されているときに、必要に応じて電池１０のセルに対応するスイッチング素子２をオン（閉）して、そのセルの放電を行う。放電時間は、電圧測定部２０によって測定される電圧に応じた時間となる。すなわち、電圧値が高いセルほど、放電時間は長くなる。
【００６１】
このとき、放電制御装置３は、セル毎に構成された電圧測定部２０の測定値と、電流測定部２１の測定値とに基づいて、抵抗値が異なる負荷抵抗１の中から、負荷抵抗１を選択する。このようにすることで、蓄電デバイスの放電電流の大きさを変化させることができる。このため、温度環境や、使用履歴によって電池の内部抵抗が高くなったり、低くなったりしても、均等化に必要な電流で電池１０のセルをそれぞれ放電させることができるようになる。
【００６２】
蓄電デバイスの動作停止時間が閾値よりも短くなった場合や、電圧値の不均等が閾値よりも大きくなりすぎた場合であっても、電圧が高い電池１０のセルに対応する負荷抵抗１の抵抗値を大きくすることにより、電池１０の残容量の均等化に必要な電流で電池１０を放電させることができるようになる。
【００６３】
このように、セル毎に抵抗値の異なる２種類以上の負荷抵抗１の中から、最適な負荷抵抗１を選択することにより、電池の内部抵抗の変化等に関わらず、電池１０の残容量の均等化を滞りなく行うことができる。これにより、蓄電デバイスを円滑に稼動させることができる。
【００６４】
以上詳細に説明したように、この参考例１によれば、放電制御装置３により、放電回路の負荷抵抗１の抵抗値を変更する。これにより、電池１０の内部抵抗の抵抗値が大きく変化した場合であっても、その変化に合わせて負荷抵抗１の抵抗値を変更することができる。この結果、電池１０を複数個接続した蓄電デバイスの残容量の均等化を安定に達成することができる。
【００６５】
実施の形態２．
次に、この発明の実施の形態２について説明する。
【００６６】
図５には、この発明の実施の形態２に係る蓄電デバイス放電装置としての電池状態監視装置１０２の回路構成が示されている。図５に示すように、この実施の形態では、放電部１６の構成が、上記実施の形態１と異なる。
【００６７】
この実施の形態では、放電部１６の放電回路は、可変抵抗６とスイッチング素子２との直列回路となっている。また、放電回路は１つしか設けられていない。
【００６８】
放電制御装置３は、可変抵抗６の抵抗値を変更する。
【００６９】
より具体的には、放電制御装置３は、電圧測定部２０の測定値と電流測定部２１の測定値とに基づいて、必要な可変抵抗６の抵抗値を決定し、可変抵抗６の抵抗値を調整する。抵抗値を決定する方法は、上記実施の形態１、参考例１と同じである。このようにすることで、蓄電デバイスの放電電流の大きさを変化させることができる。この結果、温度環境や、使用履歴によって電池の内部抵抗が高くなる場合や低くなる場合などに対応して、蓄電デバイスを、測定に必要な電流で放電させることができる。
【００７０】
このように、可変抵抗６を設けることにより、電池１０の内部抵抗の変化に関わらず、内部抵抗の測定を滞りなく行うことができる。この結果、蓄電デバイスの状態監視を円滑に行うことができる。
【００７１】
また、上述のような構成により、電池状態監視装置１０２の回路構成を簡単にすることができる。この結果、回路基板を小さくすることができるので、装置を小型化することができる。
【００７２】
参考例２．
次に、この発明の参考例２について説明する。
【００７３】
図６には、本発明の参考例２に係る蓄電デバイス放電装置としての電池残存量均等化装置１０３の回路構成が示されている。電池残存量均等化装置１０３は、複数の電池１０のセルを直列につないで高電圧バッテリとして搭載する場合の蓄電デバイスの残容量（ＳＯＣ）のばらつきを均等化する残容量均等化装置である。図６に示すように、この電池残存量均等化装置１０３では、放電部１５の代わりに放電部１６が設けられている点が、上記参考例１と異なる。
【００７４】
上述のように、放電部１６の放電回路は、可変抵抗６とスイッチング素子２との直列回路となっている。放電回路は、１つの電池１０のセルにつき１つしか設けられていない。
【００７５】
放電制御装置３は、可変抵抗である負荷抵抗１の抵抗値を調整する。
【００７６】
より具体的には、放電制御装置３は、電池１０のセル毎に構成された電圧測定部４の測定値と電流測定部５の測定値とに基づいて、可変抵抗６の抵抗値を調整する。このようにすることで、蓄電デバイスの放電電流の大きさを変化させることができる。このため、温度環境や、使用履歴によって電池の内部抵抗が高くなったり低くなったりした場合であっても、放電可能かつ均等化に必要な電流で電池１０のセルを放電させることができるようになる。また、電池残容量の均等化に必要な時間が極端に短くなったり、放電による発熱量が、許容される大きさを超えたりしたときでも。十分な放電が可能となる。
【００７７】
このように、電池１０のセル毎に可変抵抗６を設けることにより、電池１０の内部抵抗の大きな変化等に関わらず、電池１０の残容量の均等化を滞りなく行うことができる。これにより、蓄電デバイスを円滑に稼動させることができる。
【００７８】
また、上述のような構成により、電池残存量均等化装置１０３の回路構成を簡単にすることができる。この結果、回路基板を小さくすることができるので、装置を小型化することができる。
【００７９】
なお、上述した電池状態監視装置１００、１０２を用いれば、内部物質移動支配の抵抗値を利用することで、電池１０におけるニッケル水素電池の場合のメモリ効果などの一時的特性変化を判定することもできる。さらに、回復不能な特性劣化の判定も可能である。
【００８０】
また、電池１０の温度を測定する温度測定部を設けるようにしてもよい。そして、温度測定部によって測定された温度に基づいて、負荷抵抗１の選択や、可変抵抗６の抵抗値の調整を行うようにしてもよい。
【産業上の利用可能性】
【００８１】
この発明は、蓄電デバイスの状態（ＳＯＣや内部インピーダンス）を測定するのに好適である。また、この発明は、複数の２次電池が直列に接続された蓄電デバイスにおいて、各２次電池の残容量の均等化を図るのに好適である。このため、この発明は、蓄電デバイスを用いた電気車等のあらゆる電気駆動の機器に好適である。
【符号の説明】
【００８２】
１    負荷抵抗
２    スイッチング素子
３    放電制御装置
４    端子
５    電流計
６    可変抵抗
１０    電池
１５、１６    放電部
２０    電圧測定部
２１    電流測定部
２２    決定部
２３    選択部
１００    電池状態監視装置
１０１    電池残存量均等化装置
１０２    電池状態監視装置
１０３    電池残存量均等化装置
【図１】
0005562433.tif 000002
【図２】
0005562433.tif 000003
【図３】
0005562433.tif 000004
【図４】
0005562433.tif 000005
【図５】
0005562433.tif 000006
【図６】
0005562433.tif 000007